(57)【特許請求の範囲】
【請求項１】
基地局装置と端末装置とが周波数帯域が異なる複数のキャリアを用いて無線通信する無線通信システムであって、
前記端末装置は、
複数のキャリアそれぞれの受信品質を算出する算出部と、
前記算出部によって算出された受信品質が最も良好なキャリアを用いて、前記基地局装置との間で制御チャネルの信号を送受信するためのプライマリセル接続をする送受信部とを有し、
前記基地局装置は、
前記算出部によって算出された受信品質に基づいて、いずれかのキャリアの送信電力の上昇量を決定する決定部と、
前記決定部によって決定された上昇量だけ送信電力を上昇させた場合にプライマリセル接続の切り替えが発生するか否かを推定し、推定結果に応じて送信電力を上昇させるか否かを判定する判定部と、
前記判定部によって送信電力を上昇させると判定された場合に、前記キャリアの送信電力を前記上昇量だけ上昇させるように送信部に指示する指示部と
を有することを特徴とする無線通信システム。
【請求項２】
前記基地局装置は、
前記複数のキャリアそれぞれと同一周波数帯域のキャリアを用いて他の基地局装置と無線通信する端末装置の数をキャリアごとにカウントするカウント部と、
前記カウント部によってカウントされる端末装置の数を参照し、前記算出部によって算出された受信品質が所定の品質閾値未満の第１のキャリアと同一周波数帯域のキャリアを用いて他の基地局装置と無線通信する端末装置の数が所定数未満であるか否かを判定する端末装置数判定部とをさらに有し、
前記決定部は、
前記端末装置数判定部によって端末装置の数が所定数未満であると判定された場合に、第１のキャリアの送信電力の上昇量を決定する
ことを特徴とする請求項１記載の無線通信システム。
【請求項３】
前記判定部は、
第１のキャリアの送信電力を前記決定部によって決定された上昇量だけ上昇させた場合の第１のキャリアの受信品質を推定し、推定された第１のキャリアの受信品質と第１のキャリアとは異なる第２のキャリアの受信品質との差分が所定の切替閾値以上である場合に、プライマリセル接続の切り替えが発生すると推定し、送信電力の上昇を中止すると判定することを特徴とする請求項２記載の無線通信システム。
【請求項４】
前記判定部は、
第１のキャリアの送信電力を前記決定部によって決定された上昇量だけ上昇させた場合の第１のキャリアの受信品質を端末装置ごとに推定し、推定された第１のキャリアの受信品質と現在プライマリセル接続に使用中の第２のキャリアの受信品質との差分が所定の切替閾値以上である端末装置においてプライマリセル接続の切り替えが発生すると推定し、切り替えが発生すると推定された端末装置の数が閾値以上の場合に、送信電力の上昇を中止すると判定することを特徴とする請求項２記載の無線通信システム。
【請求項５】
前記基地局装置は、
前記複数のキャリアそれぞれを用いてプライマリセル接続する端末装置の数をキャリアごとにカウントするプライマリセル接続カウント部をさらに有し、
前記判定部は、
前記プライマリセル接続カウント部によってカウントされた端末装置の数に基づいて、プライマリセル接続の切り替えが発生すると推定された端末装置の数と比較される閾値を決定することを特徴とする請求項４記載の無線通信システム。
【請求項６】
前記カウント部は、
端末装置が送信するランダムアクセス用のプリアンブルをカウントすることにより、他の基地局装置と無線通信する端末装置の数をカウントすることを特徴とする請求項２記載の無線通信システム。
【請求項７】
前記カウント部は、
端末装置が送信する上り回線の品質測定用の参照信号をカウントすることにより、他の基地局装置と無線通信する端末装置の数をカウントすることを特徴とする請求項２記載の無線通信システム。
【請求項８】
複数のキャリアのうち受信品質が最も良好なキャリアを用いて制御チャネルの信号を送受信するためのプライマリセル接続をする端末装置から、前記複数のキャリアそれぞれの受信品質を取得する取得部と、
前記取得部によって取得された受信品質に基づいて、いずれかのキャリアの送信電力の上昇量を決定する決定部と、
前記決定部によって決定された上昇量だけ送信電力を上昇させた場合にプライマリセル接続の切り替えが発生するか否かを推定し、推定結果に応じて送信電力を上昇させるか否かを判定する判定部と、
前記判定部によって送信電力を上昇させると判定された場合に、前記キャリアの送信電力を前記上昇量だけ上昇させるように送信部に指示する指示部と
を有することを特徴とする基地局装置。
【請求項９】
複数のキャリアのうち受信品質が最も良好なキャリアを用いて制御チャネルの信号を送受信するためのプライマリセル接続をする端末装置から、前記複数のキャリアそれぞれの受信品質を取得し、
取得された受信品質に基づいて、いずれかのキャリアの送信電力の上昇量を決定し、
決定された上昇量だけ送信電力を上昇させた場合にプライマリセル接続の切り替えが発生するか否かを推定し、推定結果に応じて送信電力を上昇させるか否かを判定し、
送信電力を上昇させると判定された場合に、前記キャリアの送信電力を前記上昇量だけ上昇させるように送信部に指示する
処理を有することを特徴とする送信電力制御方法。
【発明の詳細な説明】
【技術分野】
【０００１】
本発明は、無線通信システム、基地局装置及び送信電力制御方法に関する。
【背景技術】
【０００２】
近年、無線通信事業者によってサービスが開始されているＬＴＥ（Long  Term  Evolution）及びＬＴＥ−Ａｄｖａｎｃｅｄを採用した無線通信システムにおいては、従来のマクロセルに加えてフェムトセルが形成されることがある。フェムトセルは、送信電力が比較的小さいフェムト基地局を配置することにより、マクロセル内外に形成される比較的小半径のセルである。
【０００３】
フェムトセルを利用した無線通信の運用方法としては、登録済みのユーザのみがフェムトセルに接続して通信をすることができるＣＳＧ（Closed  Subscriber  Group）がある。具体的には、例えば一般家庭にフェムト基地局を設置し、家族やあらかじめ許可されたユーザのみがフェムト基地局を経由した通信を可能とする運用方法がある。このようなＣＳＧで運用される無線通信システムにおいては、通常、フェムトセル間でのハンドオーバは発生しない。
【０００４】
一方、ＬＴＥ−Ａｄｖａｎｃｅｄを採用した無線通信システムにおいては、キャリアアグリゲーション（ＣＡ：Carrier  Aggregation）と呼ばれる技術が採用されることもある。キャリアアグリゲーションとは、周波数帯域が異なる複数のコンポーネントキャリア（ＣＣ：Component  Carrier）を束ねて１つの端末装置と基地局装置との間の無線通信に利用するものである。例えば、基地局装置が２つのコンポーネントキャリアを端末装置に割り当てて通信する場合、端末装置は、一方のコンポーネントキャリアによって形成されるセルにプライマリセル（以下「Ｐセル」という）接続し、他方のコンポーネントキャリアによって形成されるセルにセカンダリセル（以下「Ｓセル」という）接続する。なお、Ｐセル接続に用いられるコンポーネントキャリアには制御チャネル信号が含まれ、Ｓセル接続に用いられるコンポーネントキャリアには制御チャネル信号は含まれずにデータチャネル信号のみが含まれる。したがって、一般に、端末装置は、複数のコンポーネントキャリアのうち受信品質が良好なコンポーネントキャリアを選択してＰセル接続する。
【０００５】
また、キャリアアグリゲーションを採用する無線通信システムでは、基地局装置が複数のコンポーネントキャリアそれぞれに対応する複数のセルを形成している。このため、基地局装置は、異なるコンポーネントキャリアに対応するセルの送信電力を個別に制御し、コンポーネントキャリアごとのセル半径を変更することができる。
【先行技術文献】
【特許文献】
【０００６】
【特許文献１】特開２０１４−２２８９６号公報
【特許文献２】特表２０１３−５０７０７０号公報
【発明の概要】
【発明が解決しようとする課題】
【０００７】
ところで、フェムト基地局と端末装置との間の通信にキャリアアグリゲーションを適用することも可能である。この場合、無線通信システムがＣＳＧで運用されていれば、セル端に位置する端末装置であっても他のセルにハンドオーバすることはない。すなわち、例えば端末装置がセル端に位置しており、通信に用いられるコンポーネントキャリアの受信品質が低下している場合であっても、この端末装置が隣接セルにハンドオーバすることはない。
【０００８】
したがって、セル端の端末装置の受信品質を向上するためには、端末装置が通信に用いるコンポーネントキャリアの送信電力を上昇させ、端末装置が属するセルの半径を大きくすることが考えられる。
【０００９】
しかしながら、いずれかのコンポーネントキャリアの送信電力を上昇させると、このコンポーネントキャリアにＰセル接続する端末装置の数が増加し、基地局装置の負荷が一時的に増大するという問題がある。すなわち、セル端の端末装置の受信品質を向上することを目的としてコンポーネントキャリアの送信電力を上昇させると、他の端末装置においてもこのコンポーネントキャリアの受信品質が良好になる。このため、これらの他の端末装置は、受信品質が良好になったコンポーネントキャリアを選択してＰセル接続することになり、一時的にセルの切り替えが多数発生する。結果として、基地局装置は、例えば各端末装置が新たにＰセル接続に用いるコンポーネントキャリアにそれぞれの端末装置宛ての制御チャネル信号をマッピングし直すなどの処理を実行することとなり、基地局装置の処理負荷が増大する。
【００１０】
また、コンポーネントキャリアの送信電力を上昇させることにより、セル半径が大きくなるが、この結果、同一の周波数帯域のコンポーネントキャリアを用いる隣接セルへの干渉が増大する。
【００１１】
開示の技術は、かかる点に鑑みてなされたものであって、一時的な処理負荷の増大を抑制することができる無線通信システム、基地局装置及び送信電力制御方法を提供することを目的とする。
【課題を解決するための手段】
【００１２】
本願が開示する基地局装置は、１つの態様において、複数のキャリアのうち受信品質が最も良好なキャリアを用いて制御チャネルの信号を送受信するためのプライマリセル接続をする端末装置から、前記複数のキャリアそれぞれの受信品質を取得する取得部と、前記取得部によって取得された受信品質に基づいて、いずれかのキャリアの送信電力の上昇量を決定する決定部と、前記決定部によって決定された上昇量だけ送信電力を上昇させた場合にプライマリセル接続の切り替えが発生するか否かを推定し、推定結果に応じて送信電力を上昇させるか否かを判定する判定部と、前記判定部によって送信電力を上昇させると判定された場合に、前記キャリアの送信電力を前記上昇量だけ上昇させるように送信部に指示する指示部とを有する。
【発明の効果】
【００１３】
本願が開示する無線通信システム、基地局装置及び送信電力制御方法の１つの態様によれば、一時的な処理負荷の増大を抑制することができるという効果を奏する。
【図面の簡単な説明】
【００１４】
【図１】図１は、実施の形態１に係る無線通信システムの構成を示す図である。
【図２】図２は、実施の形態１に係る基地局装置の構成を示すブロック図である。
【図３】図３は、実施の形態１に係る送信電力制御部の構成を示すブロック図である。
【図４】図４は、実施の形態１に係る端末装置の構成を示すブロック図である。
【図５】図５は、実施の形態１に係る送信電力制御処理を示すフロー図である。
【図６】図６は、実施の形態１に係るセル間ギャップを説明する図である。
【図７】図７は、実施の形態２に係る基地局装置の構成を示すブロック図である。
【図８】図８は、実施の形態２に係る送信電力制御部の構成を示すブロック図である。
【図９】図９は、実施の形態２に係る送信電力制御処理を示すフロー図である。
【図１０】図１０は、実施の形態２に係るセル間ギャップを説明する図である。
【図１１】図１１は、実施の形態３に係る基地局装置の構成を示すブロック図である。
【図１２】図１２は、基地局装置のハードウェア構成例を示すブロック図である。
【発明を実施するための形態】
【００１５】
以下、本願が開示する無線通信システム、基地局装置及び送信電力制御方法の実施の形態について、図面を参照して詳細に説明する。なお、この実施の形態により本発明が限定されるものではない。
【００１６】
（実施の形態１）
図１は、実施の形態１に係る無線通信システムの構成を示す図である。図１に示す無線通信システムは、基地局装置１００ａ、１００ｂ及び端末装置２００ａ〜２００ｆを有する。
【００１７】
基地局装置１００ａ、１００ｂは、フェムトセルを形成するフェムト基地局であり、それぞれ登録された端末装置との間で無線通信を行う。すなわち、基地局装置１００ａは、端末装置２００ａ〜２００ｃと無線通信を行い、基地局装置１００ｂは、端末装置２００ｄ〜２００ｆと無線通信を行う。
【００１８】
また、基地局装置１００ａ、１００ｂは、互いに周波数帯域が異なるコンポーネントキャリアＣＣ＃ｍ及びＣＣ＃ｎを用いたキャリアアグリゲーションによる無線通信を行う。すなわち、基地局装置１００ａ、１００ｂは、それぞれコンポーネントキャリアＣＣ＃ｍに対応するセルｍを形成するとともに、コンポーネントキャリアＣＣ＃ｎに対応するセルｎを形成する。端末装置２００ａ〜２００ｃにとっては、これらのセルｍ又はセルｎが制御チャネルを含む信号の受信に用いられるＰセルとなる。
【００１９】
基地局装置１００ａ、１００ｂは、互いに隣接する位置に配置されており、同じコンポーネントキャリアＣＣ＃ｍ及びＣＣ＃ｎを利用するキャリアアグリゲーションを行う。そして、基地局装置１００ａ、１００ｂは、それぞれのコンポーネントキャリアＣＣ＃ｍ及びＣＣ＃ｎの送信電力を個別に制御し、セルｍ及びセルｎの半径を変更する。基地局装置１００ａ、１００ｂによる送信電力制御については、後に詳述する。
【００２０】
端末装置２００ａ〜２００ｆは、例えば携帯電話機やスマートフォンなどの無線通信端末であり、それぞれ自身を登録した基地局装置１００ａ、１００ｂとの間で無線通信を行う。このとき、端末装置２００ａ〜２００ｆは、基地局装置１００ａ、１００ｂが形成するセルｍ及びセルｎのうち、受信品質が良好なコンポーネントキャリアに対応するセルを選択してＰセル接続する。すなわち、端末装置２００ａ〜２００ｆは、コンポーネントキャリアＣＣ＃ｍ及びＣＣ＃ｎの受信品質を周期的に測定し、受信品質が良好なコンポーネントキャリアを制御チャネルを含む信号用のコンポーネントキャリアとして選択する。
【００２１】
具体的には、図１に示す端末装置２００ａ、２００ｂは、コンポーネントキャリアＣＣ＃ｍを用いて基地局装置１００ａにＰセル接続し、端末装置２００ｃは、コンポーネントキャリアＣＣ＃ｎを用いて基地局装置１００ａにＰセル接続する。また、図１に示す端末装置２００ｄ、２００ｅは、コンポーネントキャリアＣＣ＃ｍを用いて基地局装置１００ｂにＰセル接続し、端末装置２００ｆは、コンポーネントキャリアＣＣ＃ｎを用いて基地局装置１００ｂにＰセル接続する。これらの端末装置２００ａ〜２００ｆのうち、例えば端末装置２００ｂはセル端に位置するため、基地局装置１００ａからの信号の受信品質が低下している。しかしながら、端末装置２００ｂは、基地局装置１００ｂには登録されていないため、基地局装置１００ｂが形成するセルにハンドオーバすることはない。
【００２２】
図２は、実施の形態１に係る基地局装置１００の構成を示すブロック図である。基地局装置１００は、図１に示した基地局装置１００ａ、１００ｂと同等の基地局装置である。図２に示す基地局装置１００は、送受信切替部１０１、受信部１０２、制御信号復調復号部１０３、ＲＡＣＨ（Random  Access  CHannel）復調復号部１０４、被干渉端末カウント部１０５、スケジューラ１０６、送信電力制御部１０７、送信信号生成部１０８、送信信号符号化変調部１０９及び送信部１１０を有する。
【００２３】
送受信切替部１０１は、例えばデュプレクサなどを備え、アンテナを介した信号の送受信を切り替える。そして、送受信切替部１０１は、受信信号を受信部１０２へ出力し、送信部１１０から出力される送信信号をアンテナを介して送信する。
【００２４】
受信部１０２は、送受信切替部１０１から出力される受信信号に対して、例えばＡ／Ｄ（Analogue/Digital）変換などの所定の無線受信処理を施し、無線受信処理後の受信信号を制御信号復調復号部１０３へ出力する。
【００２５】
制御信号復調復号部１０３は、受信信号に含まれる制御チャネルの信号（以下「制御信号」という）を復調及び復号し、制御信号に含まれるランダムアクセス用のＲＡＣＨ信号をＲＡＣＨ復調復号部１０４へ出力する。また、制御信号復調復号部１０３は、制御信号に含まれる受信品質情報であって、各端末装置が測定し報告する下り回線の受信品質情報をスケジューラ１０６へ通知する。
【００２６】
ＲＡＣＨ復調復号部１０４は、制御信号復調復号部１０３から出力されるＲＡＣＨ信号を復調及び復号する。具体的には、ＲＡＣＨ復調復号部１０４は、他の基地局装置が報知するランダムアクセスのための設定情報を復調及び復号する。すなわち、基地局装置は、自装置との通信開始を希望する端末装置がランダムアクセス可能なように、端末装置がランダムに選択して送信するプリアンブルに関する設定情報を報知している。そこで、基地局装置１００は、他の基地局装置が報知する設定情報を定期的に受信し、ＲＡＣＨ復調復号部１０４は、この設定情報を復調及び復号する。
【００２７】
また、ＲＡＣＨ復調復号部１０４は、復調及び復号された設定情報を用いて、端末装置から他の基地局装置宛てに送信されたランダムアクセス用のプリアンブルを復調及び復号する。すなわち、端末装置は、基地局装置との通信開始を希望する場合に、通信相手となる基地局装置に対して、ランダムに選択したプリアンブルを送信してリソース割り当てを要求するが、ＲＡＣＨ復調復号部１０４は、他の基地局装置宛てのプリアンブルを復調及び復号する。したがって、ＲＡＣＨ復調復号部１０４によって復調及び復号されるプリアンブルの数は、基地局装置１００以外の基地局装置と通信する端末装置の数に等しい。
【００２８】
なお、ＲＡＣＨ復調復号部１０４は、必ずしも他の基地局装置が報知する設定情報を復調及び復号しなくても良い。すなわち、基地局装置１００は、必ずしも他の基地局装置が報知する設定情報を受信しなくても良い。設定情報を復調及び復号することにより、ＲＡＣＨ復調復号部１０４は、基地局装置１００に隣接する隣接基地局装置宛てのプリアンブルとその他の基地局装置宛てのプリアンブルとを区別して復調及び復号することが可能となる。しかしながら、設定情報を復調及び復号しなくても、ＲＡＣＨ復調復号部１０４は、隣接基地局装置宛てとその他の基地局装置宛てとを区別せずに、基地局装置１００以外の基地局装置宛てのプリアンブルを復調及び復号することは可能である。
【００２９】
被干渉端末カウント部１０５は、基地局装置１００からの送信電力が上昇した場合に干渉が大きくなる端末装置（以下、「被干渉端末」という）の数をカウントする。具体的には、被干渉端末カウント部１０５は、ＲＡＣＨ復調復号部１０４によって復調及び復号されるプリアンブルのうち、基地局装置１００と同じコンポーネントキャリアを利用する隣接基地局装置に対して送信されたプリアンブルの数をカウントする。
【００３０】
例えば、隣接基地局装置が基地局装置１００と同じコンポーネントキャリアＣＣ＃ｍ及びＣＣ＃ｎを利用している場合、被干渉端末カウント部１０５は、この隣接基地局装置宛てに送信されたプリアンブルをコンポーネントキャリアごとにカウントする。すなわち、被干渉端末カウント部１０５は、コンポーネントキャリアＣＣ＃ｍを用いて隣接基地局装置へ送信されたプリアンブルの数と、コンポーネントキャリアＣＣ＃ｎを用いて隣接基地局装置へ送信されたプリアンブルの数とをカウントする。隣接基地局装置宛てにプリアンブルを送信する端末装置は被干渉端末になり得るため、被干渉端末カウント部１０５は、プリアンブルの数をカウントすることにより、コンポーネントキャリアごとの被干渉端末の数をカウントする。
【００３１】
なお、上述したように、ＲＡＣＨ復調復号部１０４が設定情報を復調及び復号しない場合は、隣接基地局装置宛てのプリアンブルとその他の基地局装置宛てのプリアンブルとが区別されない。この場合は、被干渉端末カウント部１０５は、基地局装置１００以外の基地局装置宛てに送信されたプリアンブルをコンポーネントキャリアごとにカウントすれば良い。基地局装置１００がプリアンブルを受信可能な範囲にある端末装置は、通信相手が隣接基地局装置であるか否かに関わらず、基地局装置１００の送信電力上昇による干渉の影響を受ける被干渉端末である可能性が高いからである。
【００３２】
スケジューラ１０６は、各端末装置から報告される下り回線の受信品質情報に基づいて、各端末装置に対する送信のスケジューリングを実行する。具体的には、スケジューラ１０６は、各端末装置における受信品質に基づいて、端末装置への無線リソースの割り当てを決定し、送信信号生成部１０８へ通知する。また、スケジューラ１０６は、各端末装置における受信品質に対応する符号化率や変調方式などを決定し、送信信号生成部１０８へ通知する。
【００３３】
これらのスケジューリングを実行すると同時に、スケジューラ１０６は、各端末装置における受信品質をコンポーネントキャリアごとに送信電力制御部１０７へ通知する。すなわち、例えば基地局装置１００がコンポーネントキャリアＣＣ＃ｍ及びＣＣ＃ｎを利用している場合、スケジューラ１０６は、各端末装置から報告されるコンポーネントキャリアＣＣ＃ｍの受信品質とコンポーネントキャリアＣＣ＃ｎの受信品質とを送信電力制御部１０７へ通知する。
【００３４】
送信電力制御部１０７は、基地局装置１００のコンポーネントキャリアごとの送信電力を制御する。このとき、送信電力制御部１０７は、各端末装置における受信品質を参照して、受信品質が所定の品質閾値未満の端末装置（以下「低品質端末」という）があるか否かを判定する。そして、送信電力制御部１０７は、低品質端末がある場合に、受信品質が低いコンポーネントキャリアの送信電力を上昇させる。ただし、送信電力制御部１０７は、被干渉端末カウント部１０５によってカウントされる被干渉端末の数を参照し、被干渉端末の数が所定の閾値未満である場合に、送信電力を上昇させる。また、送信電力制御部１０７は、端末装置によるＰセル接続の切り替え発生を抑制するように送信電力の上昇量を決定する。送信電力制御部１０７による送信電力制御については、後に詳述する。
【００３５】
送信信号生成部１０８は、スケジューラ１０６による無線リソースの割り当てに従って、各端末装置宛ての送信信号を生成する。そして、送信信号生成部１０８は、生成した送信信号を送信信号符号化変調部１０９へ出力するとともに、スケジューラ１０６によって決定された各端末装置の符号化率及び変調方式を送信信号符号化変調部１０９へ通知する。
【００３６】
送信信号符号化変調部１０９は、送信信号生成部１０８から出力される送信信号を符号化及び変調する。このとき、送信信号符号化変調部１０９は、送信信号生成部１０８から通知された符号化率及び変調方式によって各端末装置宛ての送信信号を符号化及び変調する。
【００３７】
送信部１１０は、送信信号に対して例えばＤ／Ａ（Digital/Analogue）変換などの所定の無線送信処理を施すとともに、送信信号の送信電力を送信電力制御部１０７によって制御される送信電力に設定し、得られた無線送信処理後の送信信号を送受信切替部１０１へ出力する。
【００３８】
図３は、実施の形態１に係る送信電力制御部１０７の構成を示すブロック図である。図３に示す送信電力制御部１０７は、実行有無判定部１５１、暫定上昇量決定部１５２、切替閾値比較部１５３及び送信電力指示部１５４を有する。
【００３９】
実行有無判定部１５１は、スケジューラ１０６から通知される各端末装置の受信品質と被干渉端末カウント部１０５によってカウントされる被干渉端末の数とに基づいて、送信電力の上昇を実行するか否かを判定する。具体的には、実行有無判定部１５１は、各端末装置のコンポーネントキャリアごとの受信品質を参照し、受信品質が所定の品質閾値未満の低品質端末があるか否かを判定する。そして、実行有無判定部１５１は、低品質端末がある場合に、低品質端末において受信品質が低下しているコンポーネントキャリアに対応する被干渉端末の数を被干渉端末カウント部１０５から取得する。実行有無判定部１５１は、取得した被干渉端末の数が所定数未満である場合に、送信電力の上昇を実行すると決定する。
【００４０】
一方、実行有無判定部１５１は、低品質端末がない場合や、低品質端末があっても被干渉端末の数が所定数以上である場合に、送信電力の上昇を実行しないと決定する。そして、実行有無判定部１５１は、送信電力の上昇を実行すると決定すると、その旨を暫定上昇量決定部１５２へ通知する。
【００４１】
暫定上昇量決定部１５２は、実行有無判定部１５１から送信電力の上昇を実行する旨が通知されると、暫定的な送信電力の上昇量を決定する。具体的には、暫定上昇量決定部１５２は、受信品質が最も低い低品質端末の受信品質を所定の品質閾値以上とするような送信電力の上昇量を暫定上昇量に決定する。また、暫定上昇量決定部１５２は、すべての低品質端末の受信品質の平均値を所定の品質閾値以上とするような送信電力の上昇量を暫定上昇量に決定しても良い。
【００４２】
切替閾値比較部１５３は、送信電力を暫定上昇量だけ上昇させた場合のコンポーネントキャリアごとの受信品質の差分を算出し、算出した差分と所定の切替閾値とを比較する。切替閾値は、端末装置がＰセル接続を切り替える際の、コンポーネントキャリア間の受信品質の差分に相当する。すなわち、現在Ｐセル接続しているセルの受信品質よりも他のセルの受信品質が切替閾値以上高くなった場合に、端末装置は他のセルにＰセル接続する。
【００４３】
そこで、切替閾値比較部１５３は、コンポーネントキャリアの送信電力を暫定上昇量だけ上昇させた場合に、このコンポーネントキャリアに関する受信品質の平均値が他のコンポーネントキャリアに関する受信品質の平均値よりも切替閾値以上高くなるか否かを判定する。換言すれば、切替閾値比較部１５３は、それぞれのコンポーネントキャリアに対応するセル間の受信品質の差分（以下「セル間ギャップ」という）が、送信電力の上昇により、切替閾値以上となるか否かを判定する。
【００４４】
そして、切替閾値比較部１５３は、セル間ギャップが切替閾値以上となると判定すると、端末装置によるＰセル接続の切り替えが発生すると推定されるため、送信電力の上昇を中止する。このとき、切替閾値比較部１５３は、送信電力の上昇を完全に中止するのではなく、セル間ギャップが切替閾値未満になるように、送信電力の上昇量を暫定上昇量よりも小さくしても良い。一方、切替閾値比較部１５３は、セル間ギャップが切替閾値未満であると判定すると、暫定上昇量を送信電力の上昇量に決定し、送信電力指示部１５４へ通知する。
【００４５】
送信電力指示部１５４は、切替閾値比較部１５３から通知される送信電力の上昇量を送信部１１０へ指示し、送信電力を上昇させる。
【００４６】
次に、実施の形態１に係る端末装置の構成について説明する。図４は、実施の形態１に係る端末装置２００の構成を示すブロック図である。端末装置２００は、図１に示した端末装置２００ａ〜２００ｆと同等の端末装置である。図４に示す端末装置２００は、送受信切替部２０１、受信部２０２、チャネル推定部２０３、復調復号部２０４、受信品質算出部２０５、送信信号生成部２０６、送信信号符号化変調部２０７及び送信部２０８を有する。
【００４７】
送受信切替部２０１は、例えばデュプレクサなどを備え、アンテナを介した信号の送受信を切り替える。そして、送受信切替部２０１は、受信信号を受信部２０２へ出力し、送信部２０８から出力される送信信号をアンテナを介して送信する。
【００４８】
受信部２０２は、送受信切替部２０１から出力される受信信号に対して、例えばＡ／Ｄ変換などの所定の無線受信処理を施し、無線受信処理後の受信信号をチャネル推定部２０３及び復調復号部２０４へ出力する。
【００４９】
チャネル推定部２０３は、受信信号に含まれる既知の参照信号を用いて、下り回線のチャネル推定を実行する。
【００５０】
復調復号部２０４は、チャネル推定部２０３によるチャネル推定結果を用いて受信信号を復調及び復号し、受信データを出力する。
【００５１】
受信品質算出部２０５は、チャネル推定部２０３によるチャネル推定結果に基づいて下り回線の受信品質を算出する。具体的には、受信品質算出部２０５は、例えばコンポーネントキャリアごとのＳＩＮＲ（Signal  to  Interference  plus  Noise  Ratio）を算出する。そして、受信品質算出部２０５は、定期的にコンポーネントキャリアごとのＳＩＮＲを比較し、受信品質が最も良好なコンポーネントキャリアを選択してＰセル接続するように受信部２０２及び送信部２０８へ指示する。
【００５２】
送信信号生成部２０６は、受信品質算出部２０５によって算出された受信品質を報告する制御信号を含む基地局装置宛ての送信信号を生成する。このとき、送信信号生成部２０６は、Ｐセル接続に用いられるコンポーネントキャリアによって制御信号を送信する送信信号を生成する。
【００５３】
送信信号符号化変調部２０７は、送信信号生成部２０６から出力される送信信号を符号化及び変調する。
【００５４】
送信部２０８は、送信信号に対して例えばＤ／Ａ変換などの所定の無線送信処理を施し、無線送信処理後の送信信号を送受信切替部２０１へ出力する。
【００５５】
次いで、上記のように構成された無線通信システムにおける送信電力制御について、図５に示すフロー図を参照しながら説明する。以下の送信電力制御処理は、基地局装置１００によって実行される。
【００５６】
基地局装置１００に対しては、コンポーネントキャリアごとの受信品質を報告する制御信号が各端末装置から送信される。この制御信号は、送受信切替部１０１及び受信部１０２を介して制御信号復調復号部１０３に入力され、制御信号復調復号部１０３によって復調及び復号される。そして、復調及び復号の結果得られるコンポーネントキャリアごとの受信品質情報がスケジューラ１０６へ通知される。
【００５７】
コンポーネントキャリアごとの受信品質は、送信電力制御部１０７の実行有無判定部１５１へ通知され、実行有無判定部１５１によって、低品質端末があるか否かが判定される（ステップＳ１０１）。すなわち、各端末装置のコンポーネントキャリアごとの受信品質が所定の品質閾値と比較され、受信品質が所定の品質閾値未満の端末装置があるか否かが判定される。この判定の結果、低品質端末がない場合には（ステップＳ１０１Ｎｏ）、送信電力の上昇は不要と判断され、現在の送信電力が維持される。
【００５８】
一方、低品質端末がある場合には（ステップＳ１０１Ｙｅｓ）、実行有無判定部１５１によって、被干渉端末の数が被干渉端末カウント部１０５から取得される。すなわち、被干渉端末カウント部１０５によって、他の基地局装置宛てのプリアンブルの数に相当する被干渉端末の数がコンポーネントキャリアごとにカウントされているため、受信品質が低いコンポーネントキャリアにおける被干渉端末の数が取得される。そして、実行有無判定部１５１によって、取得された被干渉端末の数が所定数未満であるか否かが判定される（ステップＳ１０２）。
【００５９】
この判定の結果、被干渉端末の数が所定数以上である場合には（ステップＳ１０２Ｎｏ）、送信電力の上昇による干渉の影響が大きいため、現在の送信電力が維持される。一方、被干渉端末の数が所定数未満である場合には（ステップＳ１０２Ｙｅｓ）、暫定上昇量決定部１５２によって、各端末装置の受信品質に基づく送信電力の暫定上昇量が算出される（ステップＳ１０３）。
【００６０】
具体的には、低品質端末の受信品質のうち最も低い受信品質が所定の品質閾値以上となる送信電力の上昇量が暫定上昇量に決定されたり、低品質端末の受信品質の平均値が所定の品質閾値以上となる送信電力の上昇量が暫定上昇量に決定されたりする。決定された暫定上昇量は、切替閾値比較部１５３へ通知される。
【００６１】
そして、切替閾値比較部１５３によって、送信電力を暫定上昇量だけ上昇させた場合のセル間ギャップが所定の切替閾値未満であるか否かが判定される（ステップＳ１０４）。すなわち、いずれかのコンポーネントキャリアの送信電力が暫定上昇量だけ上昇した場合のコンポーネントキャリア間の受信品質の差分が切替閾値未満であるか否かが判定される。
【００６２】
具体的に例を挙げると、例えば図６に示すように、コンポーネントキャリアＣＣ＃ｍに対応するセルｍにおける各端末装置のＳＩＮＲの平均値がＳＩＮＲave,mである場合に、このセルｍの送信電力を暫定上昇量Ｐstepだけ上昇させる場合を考える。このとき、コンポーネントキャリアＣＣ＃ｎに対応するセルｎにおける各端末装置のＳＩＮＲの平均値はＳＩＮＲave,nであるものとする。
【００６３】
セルｍの送信電力が暫定上昇量Ｐstepだけ上昇すると、各端末装置におけるコンポーネントキャリアＣＣ＃ｍのＳＩＮＲは、暫定上昇量Ｐstepに基地局装置１００と各端末装置との間のパスロスに応じた係数αを乗じたα・Ｐstepだけ高くなる。つまり、送信電力が暫定上昇量Ｐstepだけ上昇した場合のセルｍの受信品質の平均値は（ＳＩＮＲave,m＋α・Ｐstep）と推定される。そして、このセルｍの受信品質の平均値とセルｎの受信品質の平均値ＳＩＮＲave,nとの差分がセル間ギャップとなる。このセル間ギャップが切替閾値以上となると、受信品質が高いセルへのＰセル接続の切り替えが多く発生するため、基地局装置１００の処理負荷が増大する。
【００６４】
そこで、切替閾値比較部１５３によって、セル間ギャップが切替閾値以上と判定された場合には（ステップＳ１０４Ｎｏ）、基地局装置１００の処理負荷の増大を抑制するために、現在の送信電力が維持される。一方、セル間ギャップが切替閾値未満と判定された場合には（ステップＳ１０４Ｙｅｓ）、暫定上昇量が送信電力の上昇量に決定され、送信電力指示部１５４へ通知される。そして、送信電力指示部１５４から送信部１１０に対して、送信電力の上昇量が指示され、低品質端末において受信品質が低下しているコンポーネントキャリアの送信電力が上昇する（ステップＳ１０５）。
【００６５】
この結果、低品質端末では、受信品質が低下しているコンポーネントキャリアの受信品質が向上し、スループットが改善される。また、コンポーネントキャリアの送信電力が上昇しても、その上昇量は、端末装置によるＰセル接続の切り替えを抑制する上昇量であるため、基地局装置１００の処理負荷の増大を抑制することができる。
【００６６】
以上のように、本実施の形態によれば、低品質端末が存在し、かつ、被干渉端末が少ない場合に、送信電力の暫定上昇量を決定し、送信電力を暫定上昇量だけ上昇させた場合のセル間ギャップが切替閾値未満であれば、実際に送信電力を上昇させる。このため、送信電力の上昇による干渉の影響が大きい場合には、送信電力の上昇が実行されないとともに、送信電力を上昇させる場合でも、Ｐセル接続を切り替える端末装置は少ない。結果として、送信電力の上昇に伴うＰセル接続の切り替えによって、基地局装置の処理負荷が増大することがなく、一時的な処理負荷の増大を抑制することができる。
【００６７】
（実施の形態２）
実施の形態２の特徴は、送信電力を上昇させるコンポーネントキャリアを用いてＰセル接続中の端末装置の数に基づいて、許容されるＰセル接続の切り替えの閾値を決定し、送信電力の上昇の有無を判定する点である。
【００６８】
実施の形態２に係る無線通信システムの構成は、実施の形態１（図１）と同様であるため、その説明を省略する。図７は、実施の形態２に係る基地局装置１００の構成を示すブロック図である。図７において、図２と同じ部分には同じ符号を付し、その説明を省略する。図７に示す基地局装置１００は、図２に示す送信電力制御部１０７に代えて、Ｐセル端末カウント部３０１及び送信電力制御部３０２を有する。
【００６９】
Ｐセル端末カウント部３０１は、スケジューラ１０６によるスケジューリングの結果を参照し、コンポーネントキャリアごとにＰセル接続する端末装置の数をカウントする。すなわち、Ｐセル端末カウント部３０１は、各端末装置がどのコンポーネントキャリアを用いてＰセル接続しているかを確認し、それぞれのコンポーネントキャリアを用いてＰセル接続する端末装置の数をカウントする。
【００７０】
例えば、図１に示した基地局装置１００ａを例に挙げると、コンポーネントキャリアＣＣ＃ｍを用いてＰセル接続する端末装置は、端末装置２００ａ、２００ｂの２つである。また、コンポーネントキャリアＣＣ＃ｎを用いてＰセル接続する端末装置は、端末装置２００ｃ１つである。したがって、Ｐセル端末カウント部３０１は、コンポーネントキャリアＣＣ＃ｍを用いてＰセル接続する端末装置の数を２とカウントし、コンポーネントキャリアＣＣ＃ｎを用いてＰセル接続する端末装置の数を１とカウントする。
【００７１】
送信電力制御部３０２は、基地局装置１００のコンポーネントキャリアごとの送信電力を制御する。このとき、送信電力制御部３０２は、各端末装置における受信品質を参照して、低品質端末があるか否かを判定する。そして、送信電力制御部３０２は、低品質端末がある場合に、受信品質が低いコンポーネントキャリアの送信電力を上昇させる。ただし、送信電力制御部３０２は、被干渉端末カウント部１０５によってカウントされる被干渉端末の数を参照し、被干渉端末の数が所定数未満である場合に、送信電力を上昇させる。また、送信電力制御部３０２は、Ｐセル接続の切り替えの発生数の閾値を決定し、Ｐセル接続を切り替える端末装置の数が閾値未満と推定される場合に送信電力を上昇させる。
【００７２】
具体的には、送信電力制御部３０２は、図８に示す構成を有する。図８において、図３と同じ部分には同じ符号を付し、その説明を省略する。図８に示す送信電力制御部３０２は、図３に示す切替閾値比較部１５３に代えて、Ｐセル切替判定部３５１、閾値決定部３５２及び閾値判定部３５３を有する。
【００７３】
Ｐセル切替判定部３５１は、送信電力を暫定上昇量だけ上昇させた場合に、各端末装置がＰセル接続の切り替えを実行するか否かを判定する。すなわち、Ｐセル切替判定部３５１は、送信電力を暫定上昇量だけ上昇させたコンポーネントキャリアの各端末装置における受信品質を推定し、このコンポーネントキャリアの受信品質が他のコンポーネントキャリアの受信品質よりも切替閾値以上高くなるか否かを判定する。換言すれば、Ｐセル切替判定部３５１は、それぞれの端末装置におけるセル間ギャップが、送信電力の上昇により、切替閾値以上となるか否かを判定する。Ｐセル切替判定部３５１は、セル間ギャップが切替閾値以上となる端末装置においてＰセル接続の切り替えが発生すると推定する。
【００７４】
閾値決定部３５２は、Ｐセル端末カウント部３０１によってカウントされたコンポーネントキャリアごとのＰセル接続する端末装置の数を取得し、Ｐセル接続の切り替えを許容する端末装置の数を閾値として決定する。具体的には、閾値決定部３５２は、送信電力を上昇させるコンポーネントキャリアにおいて、基地局装置１００がＰセル接続を受け入れ可能な端末装置の上限数から現在Ｐセル接続中の端末装置の数を減算して閾値を決定する。そして、閾値決定部３５２は、決定した閾値を閾値判定部３５３へ通知する。
【００７５】
閾値判定部３５３は、Ｐセル切替判定部３５１によってＰセル接続の切り替えが発生すると推定された端末装置の数が、閾値決定部３５２によって決定された閾値以上であるか否かを判定する。そして、閾値判定部３５３は、Ｐセル接続の切り替えを実行する端末装置の数が閾値以上であると判定すると、送信電力の上昇を中止する。このとき、閾値判定部３５３は、送信電力の上昇を完全に中止するのではなく、Ｐセル切り替えを実行する端末装置の数が閾値未満になるように、送信電力の上昇量を暫定上昇量より小さくしても良い。一方、閾値判定部３５３は、Ｐセル接続の切り替えを実行する端末装置の数が閾値未満であると判定すると、暫定上昇量を送信電力の上昇量に決定し、送信電力指示部１５４へ通知する。
【００７６】
次いで、上記のように構成された基地局装置１００による送信電力制御について、図９に示すフロー図を参照しながら説明する。図９において、図５と同じ部分には同じ符号を付し、その詳しい説明を省略する。
【００７７】
実施の形態１と同様に、各端末装置から報告されるコンポーネントキャリアごとの受信品質情報は、スケジューラ１０６を介して送信電力制御部３０２の実行有無判定部１５１へ通知され、低品質端末があるか否かが判定される（ステップＳ１０１）。この判定の結果、低品質端末がない場合には（ステップＳ１０１Ｎｏ）、送信電力の上昇は不要と判断され、現在の送信電力が維持される。
【００７８】
一方、低品質端末がある場合には（ステップＳ１０１Ｙｅｓ）、実行有無判定部１５１によって、被干渉端末の数が被干渉端末カウント部１０５から取得される。そして、実行有無判定部１５１によって、取得された被干渉端末の数が所定数未満であるか否かが判定される（ステップＳ１０２）。
【００７９】
この判定の結果、被干渉端末の数が所定数以上である場合には（ステップＳ１０２Ｎｏ）、送信電力の上昇による干渉の影響が大きいため、現在の送信電力が維持される。一方、被干渉端末の数が所定数未満である場合には（ステップＳ１０２Ｙｅｓ）、暫定上昇量決定部１５２によって、各端末装置の受信品質に基づく送信電力の暫定上昇量が算出される（ステップＳ１０３）。決定された暫定上昇量は、Ｐセル切替判定部３５１へ通知される。
【００８０】
これらの処理と並行して、閾値決定部３５２によって、Ｐセル接続の切り替えを許容する端末装置の数に等しい閾値が決定される（ステップＳ２０１）。すなわち、いずれかのコンポーネントキャリアの送信電力を上昇させる場合、このコンポーネントキャリアを用いたＰセル接続への切り替えを許容する端末装置の数の上限が決定される。この上限となる閾値は、送信電力を上昇させるコンポーネントキャリアにおいて、基地局装置１００がＰセル接続を受け入れ可能な端末装置の上限数から現在Ｐセル接続中の端末装置の数を減算することにより求められる。決定された閾値は、閾値判定部３５３へ通知される。
【００８１】
Ｐセル切替判定部３５１へ暫定上昇量が通知されると、Ｐセル切替判定部３５１によって、送信電力を暫定上昇量だけ上昇させた場合にＰセル接続の切り替えが発生するか否かが端末装置ごとに推定される（ステップＳ２０２）。すなわち、いずれかのコンポーネントキャリアの送信電力が暫定上昇量だけ上昇した場合のセル間ギャップが切替閾値未満であるか否かが、端末装置ごとに判定される。
【００８２】
具体的に例を挙げると、例えば図１０に示すように、コンポーネントキャリアＣＣ＃ｍに対応するセルｍにおける端末装置ｉのＳＩＮＲがＳＩＮＲi,mである場合に、このセルｍの送信電力を暫定上昇量Ｐstepだけ上昇させる場合を考える。このとき、コンポーネントキャリアＣＣ＃ｎに対応するセルｎにおける端末装置ｉのＳＩＮＲはＳＩＮＲi,nであるものとする。
【００８３】
セルｍの送信電力が暫定上昇量Ｐstepだけ上昇すると、端末装置ｉにおけるコンポーネントキャリアＣＣ＃ｍのＳＩＮＲは、暫定上昇量Ｐstepに基地局装置１００と端末装置ｉとの間のパスロスに応じた係数αiを乗じたαi・Ｐstepだけ高くなる。つまり、送信電力が暫定上昇量Ｐstepだけ上昇した場合、端末装置ｉにおけるセルｍでの受信品質は（ＳＩＮＲi,m＋αi・Ｐstep）と推定される。そして、このセルｍの受信品質とセルｎの受信品質ＳＩＮＲi,nとの差分がセル間ギャップとなる。このセル間ギャップが切替閾値以上となると、セルｎを用いてＰセル接続している端末装置ｉは、受信品質が高いセルｍを用いてＰセル接続するように切り替える。
【００８４】
そこで、Ｐセル切替判定部３５１によって、送信電力を上昇させるコンポーネントキャリアを用いてＰセル接続していない端末装置が順次選択され、送信電力を上昇させることによりセル間ギャップが切替閾値以上となるか否かが判定される。そして、選択された端末装置についてセル間ギャップが切替閾値以上となると判定されると（ステップＳ２０２Ｙｅｓ）、Ｐセル接続を切り替える端末装置のカウント値が１インクリメントされる（ステップＳ２０３）。一方、選択された端末装置についてセル間ギャップが切替閾値未満であると判定されると（ステップＳ２０２Ｎｏ）、カウント値はインクリメントされることなく、対象となるすべての端末装置について判定が完了したか否かが判断される（ステップＳ２０４）。
【００８５】
このようにして、送信電力を上昇させるコンポーネントキャリアを用いてＰセル接続していない端末装置について、送信電力の上昇によってＰセル接続を切り替えるか否かの推定が繰り返され、Ｐセル接続を切り替える端末装置の数がカウントされる。そして、対象となるすべての端末装置についての推定が完了すると（ステップＳ２０４Ｙｅｓ）、閾値判定部３５３によって、Ｐセル接続を切り替える端末装置のカウント値と閾値決定部３５２によって決定された閾値とが比較される（ステップＳ２０５）。
【００８６】
そして、カウント値が閾値以上と判定された場合には（ステップＳ２０５Ｎｏ）、基地局装置１００の処理負荷の増大を抑制するために、現在の送信電力が維持される。一方、カウント値が閾値未満と判定された場合には（ステップＳ２０５Ｙｅｓ）、暫定上昇量が送信電力の上昇量に決定され、送信電力指示部１５４へ通知される。そして、送信電力指示部１５４から送信部１１０に対して、送信電力の上昇量が指示され、低品質端末において受信品質が低下しているコンポーネントキャリアの送信電力が上昇する（ステップＳ１０５）。
【００８７】
この結果、低品質端末では、受信品質が低下しているコンポーネントキャリアの受信品質が向上し、スループットが改善される。また、コンポーネントキャリアの送信電力が上昇しても、このコンポーネントキャリアを用いてＰセル接続する端末装置の数は基地局装置１００が許容する上限を超えず、基地局装置１００の処理負荷の増大を抑制することができる。
【００８８】
以上のように、本実施の形態によれば、低品質端末が存在し、かつ、被干渉端末が少ない場合に、送信電力の暫定上昇量を決定し、送信電力を暫定上昇量だけ上昇させた場合にＰセル接続を切り替える端末装置の数が許容範囲内であれば、実際に送信電力を上昇させる。このため、送信電力の上昇による干渉の影響が大きい場合には、送信電力の上昇が実行されないとともに、送信電力を上昇させる場合でも、Ｐセル接続を切り替える端末装置の数は基地局装置が許容する上限を超えない。結果として、送信電力の上昇に伴うＰセル接続の切り替えによって、基地局装置の処理負荷が増大することがなく、一時的な処理負荷の増大を抑制することができる。
【００８９】
（実施の形態３）
実施の形態３の特徴は、端末装置が送信する上り回線の品質測定用のＳＲＳ(Sounding  Reference  Signal)をカウントすることによって被干渉端末の数をカウントする点である。
【００９０】
実施の形態３に係る無線通信システムの構成は、実施の形態１（図１）と同様であるため、その説明を省略する。図１１は、実施の形態３に係る基地局装置１００の構成を示すブロック図である。図１１において、図２と同じ部分には同じ符号を付し、その説明を省略する。図１１に示す基地局装置１００は、図２に示す制御信号復調復号部１０３、ＲＡＣＨ復調復号部１０４及び被干渉端末カウント部１０５に代えて、制御信号復調復号部４０１、上り受信品質算出部４０２及び被干渉端末カウント部４０３を有する。
【００９１】
制御信号復調復号部４０１は、受信信号に含まれる制御信号を復調及び復号し、各端末装置から送信された上り回線の品質測定用のＳＲＳを上り受信品質算出部４０２へ出力する。このとき、制御信号復調復号部４０１は、基地局装置１００宛てのＳＲＳのみではなく、他の基地局装置宛てのＳＲＳも上り受信品質算出部４０２へ出力する。
【００９２】
また、制御信号復調復号部４０１は、他の基地局装置が報知するＳＲＳの設定情報を上り受信品質算出部４０２へ出力する。すなわち、基地局装置は、自装置に対するＳＲＳの送信を可能にするために、ＳＲＳの周波数ホッピングのパターンなどを示す設定情報を報知している。そこで、基地局装置１００は、他の基地局装置が報知する設定情報を定期的に受信し、制御信号復調復号部４０１は、この設定情報を上り受信品質算出部４０２へ出力する。さらに、制御信号復調復号部４０１は、制御信号に含まれる受信品質情報であって、各端末装置が測定し報告する下り回線の受信品質情報をスケジューラ１０６へ通知する。
【００９３】
なお、制御信号復調復号部４０１は、必ずしも他の基地局装置が報知する設定情報を上り受信品質算出部４０２へ出力しなくても良い。すなわち、基地局装置１００は、必ずしも他の基地局装置が報知する設定情報を受信しなくても良い。
【００９４】
上り受信品質算出部４０２は、制御信号復調復号部４０１から出力されるＳＲＳを用いて上り回線の受信品質を算出する。具体的には、上り受信品質算出部４０２は、各端末装置から基地局装置１００宛てに送信されたＳＲＳを用いて上り回線の受信品質を算出する。また、上り受信品質算出部４０２は、ＳＲＳの設定情報に基づいて、基地局装置１００以外の基地局装置宛てに送信されたＳＲＳを取得する。
【００９５】
なお、上述したように、他の基地局装置が報知するＳＲＳの設定情報は、必ずしも基地局装置１００によって受信されなくても良い。この場合でも、上り受信品質算出部４０２は、基地局装置１００宛てのＳＲＳに関する設定情報を有しているため、この設定情報とは異なる設定で送信されたＳＲＳを他の基地局装置宛てのＳＲＳとして取得すれば良い。
【００９６】
被干渉端末カウント部４０３は、基地局装置１００からの送信電力が上昇した場合の被干渉端末の数をカウントする。具体的には、被干渉端末カウント部４０３は、上り受信品質算出部４０２によって取得された、他の基地局装置宛てに送信されたＳＲＳの数をカウントする。他の基地局装置宛てに送信しているにも関わらず、基地局装置１００によって受信されるＳＲＳを送信した端末装置は、基地局装置１００の比較的近傍に位置すると考えられる。このため、被干渉端末カウント部４０３は、他の基地局装置宛てのＳＲＳの数をカウントすることにより、被干渉端末の数をカウントする。
【００９７】
本実施の形態においては、実施の形態１におけるＲＡＣＨのプリアンブルではなく、ＳＲＳを用いて被干渉端末の数がカウントされる。そして、カウントされた被干渉端末の数が所定数以上である場合には、送信電力の上昇による干渉の影響が大きいため、現在の送信電力が維持される。一方、被干渉端末の数が所定数未満である場合には、実施の形態１と同様に、暫定上昇量が決定され、送信電力を暫定上昇量だけ上昇させた場合のセル間ギャップが切替閾値未満であるか否かが判定される。
【００９８】
そして、セル間ギャップが切替閾値以上と判定された場合には、基地局装置１００の処理負荷の増大を抑制するために、現在の送信電力が維持される。一方、セル間ギャップが切替閾値未満と判定された場合には、暫定上昇量が送信電力の上昇量に決定され、送信電力が上昇する。
【００９９】
この結果、低品質端末では、受信品質が向上してスループットが改善される。また、送信電力が上昇しても、その上昇量は、端末装置によるＰセル接続の切り替えを抑制する上昇量であるため、基地局装置１００の処理負荷の増大を抑制することができる。
【０１００】
以上のように、本実施の形態によれば、上り回線の品質測定用のＳＲＳを用いて被干渉端末の数をカウントする。そして、低品質端末が存在し、かつ、被干渉端末が少ない場合に、送信電力の暫定上昇量を決定し、送信電力を暫定上昇量だけ上昇させた場合のセル間ギャップが切替閾値未満であれば、実際に送信電力を上昇させる。このため、送信電力の上昇による干渉の影響が大きい場合には、送信電力の上昇が実行されないとともに、送信電力を上昇させる場合でも、Ｐセル接続を切り替える端末装置は少ない。結果として、送信電力の上昇に伴うＰセル接続の切り替えによって、基地局装置の処理負荷が増大することがなく、一時的な処理負荷の増大を抑制することができる。
【０１０１】
なお、上記各実施の形態は、適宜組み合わせて実施することが可能である。すなわち、例えば、実施の形態２と実施の形態３を組み合わせ、ＳＲＳを用いて被干渉端末の数をカウントし、被干渉端末の数が所定数未満である場合には、Ｐセル接続の切り替えを実行する端末装置の数が閾値未満であるか否かを判定して送信電力を上昇させるようにしても良い。
【０１０２】
また、上記各実施の形態における基地局装置１００は、例えば図１２に示すようなハードウェア構成を有する。図１２において、図２と同じ部分には同じ符号を付す。図１２に示すように、基地局装置１００は、送受信切替部１０１、受信部１０２及び送信部１１０に加えて、プロセッサ５０１及びメモリ５０２を有する。
【０１０３】
プロセッサ５０１は、種々のデータ等を記憶するメモリ５０２を利用しながら、上記各実施の形態の送信電力制御を実行する。したがって、プロセッサ５０１は、例えば図２、７、１１における送受信切替部１０１、受信部１０２及び送信部１１０以外の各処理部に対応する処理を実行する。プロセッサ５０１としては、例えばＣＰＵ（Central  Processing  Unit）、ＭＰＵ（Micro  Processing  Unit）、ＤＳＰ（Digital  Signal  Processor）及びＦＰＧＡ（Field  Programmable  Gate  Array）などを１つ又は複数用いることができる。
【０１０４】
また、上記各実施の形態における送信電力制御処理をコンピュータが実行可能なプログラムとして記述することも可能である。この場合、このプログラムをコンピュータが読み取り可能な記録媒体に格納し、コンピュータに導入することも可能である。コンピュータが読み取り可能な記録媒体としては、例えばＣＤ−ＲＯＭ、ＤＶＤディスク、ＵＳＢメモリなどの可搬型記録媒体や、例えばフラッシュメモリなどの半導体メモリが挙げられる。
【符号の説明】
【０１０５】
１０１、２０１  送受信切替部
１０２、２０２  受信部
１０３、４０１  制御信号復調復号部
１０４  ＲＡＣＨ復調復号部
１０５、４０３  被干渉端末カウント部
１０６  スケジューラ
１０７、３０２  送信電力制御部
１０８、２０６  送信信号生成部
１０９、２０７  送信信号符号化変調部
１１０、２０８  送信部
１５１  実行有無判定部
１５２  暫定上昇量決定部
１５３  切替閾値比較部
１５４  送信電力指示部
２０３  チャネル推定部
２０４  復調復号部
２０５  受信品質算出部
３０１  Ｐセル端末カウント部
３５１  Ｐセル切替判定部
３５２  閾値決定部
３５３  閾値判定部
４０２  上り受信品質算出部
５０１  プロセッサ
５０２  メモリ
【図１】
0006413860.tif 000002
【図２】
0006413860.tif 000003
【図３】
0006413860.tif 000004
【図４】
0006413860.tif 000005
【図５】
0006413860.tif 000006
【図６】
0006413860.tif 000007
【図７】
0006413860.tif 000008
【図８】
0006413860.tif 000009
【図９】
0006413860.tif 000010
【図１０】
0006413860.tif 000011
【図１１】
0006413860.tif 000012
【図１２】
0006413860.tif 000013